(57)【要約】【課題】ファスナーの雄型および雌型に内容物が付着しにくいパウチおよび内容物封入パウチを提供する。【解決手段】パウチ１は、内容物を収容可能な収容空間３１、収容空間３１を開放する第１の開口部１５、および、収容空間３１を開放し、第１の開口部１５と対向しないように形成される第２の開口部１６を含む袋本体１０を備える。パウチ１はさらに、袋本体１０に取り付けられ、第１の開口部１５を開封および密封するファスナー４０と、ファスナー４０の雄型５１Ａおよび雌型５２Ａと収容空間３１とを隔てるように袋本体１０に取り付けられ、ファスナー４０が開封されることにともない破断可能な脆弱部６４を含む閉鎖シート６０とを備える。【選択図】図３
2017013886.tif 000002
【特許請求の範囲】
【請求項１】
内容物を収容可能な収容空間、前記収容空間を開放する第１の開口部、および、前記収容空間を開放し、前記第１の開口部と対向しないように形成される第２の開口部を含む袋本体と、
前記袋本体に取り付けられ、前記第１の開口部を開封および密封するファスナーと、
前記ファスナーの雄型および雌型と前記収容空間とを隔てるように前記袋本体に取り付けられ、前記ファスナーが開封されることにともない破断可能な脆弱部を含む閉鎖シートとを備える
パウチ。
【請求項２】
前記袋本体は少なくとも第１の辺および第２の辺を含み、
前記第１の開口部は前記第１の辺に形成され、
前記第２の開口部は前記第２の辺に形成される
請求項１に記載のパウチ。
【請求項３】
スタンディングパウチであり、
前記第１の辺は前記袋本体の上部の辺であり、
前記第２の辺は前記袋本体の側部の辺である
請求項２に記載のパウチ。
【請求項４】
前記袋本体は外方に突出するように形成された突出部を含み、
前記突出部は前記第２の辺を含む
請求項２または３に記載のパウチ。
【請求項５】
前記脆弱部は前記閉鎖シートを貫通しないように形成された切り込みである
請求項１〜４のいずれか一項に記載のパウチ。
【請求項６】
前記ファスナーは、前記雄型が形成される雄型シート、および、前記雌型が形成される雌型シートをさらに含み、
前記閉鎖シートは、前記雄型シートから前記収容空間側に伸びる第１の閉鎖シート、および、前記雌型シートから前記収容空間側に伸び、前記第１の閉鎖シートと繋がる第２の閉鎖シートを含み、
前記雄型シート、前記第１の閉鎖シート、前記第２の閉鎖シート、および、前記雌型シートは１枚のシートを構成する
請求項１〜５のいずれか一項に記載のパウチ。
【請求項７】
前記閉鎖シートは前記第１の閉鎖シートと前記第２の閉鎖シートとがシールされたシール部を含み、
前記第１の閉鎖シートおよび前記第２の閉鎖シートの少なくとも一方に前記脆弱部が形成される
請求項６に記載のパウチ。
【請求項８】
前記第１の閉鎖シートおよび前記第２の閉鎖シートは互いに対向する面である対向面を含み、
前記第１の閉鎖シートおよび前記第２の閉鎖シートの少なくとも一方の前記対向面に前記切り込みが形成される
請求項５を間接的に引用する請求項７に記載のパウチ。
【請求項９】
前記雄型シート、前記第１の閉鎖シート、前記第２の閉鎖シート、および、前記雌型シートは一体成形された１枚のシートであり、
前記閉鎖シートは前記収容空間に向けて突出するように２つに折り曲げられた部分である折曲部分を含む
請求項６に記載のパウチ。
【請求項１０】
前記折曲部分に前記脆弱部が形成される
請求項９に記載のパウチ。
【請求項１１】
請求項１〜１０のいずれか一項に記載のパウチと、
前記収容空間に収容された内容物とを備え、
前記第１の開口部および前記第２の開口部が閉じられている
内容物封入パウチ。
【発明の詳細な説明】
【技術分野】
【０００１】
本発明は、内容物を収容可能なパウチ、および、そのパウチに内容物が収容された内容物封入パウチに関する。
【背景技術】
【０００２】
食品等の内容物を収容可能な収容空間を含むパウチが知られている。その一例である特許文献１のパウチは、互いにシールされることにより収容空間を形成する一対の袋シート、および、収容空間を開放する開口部を開封および密封するファスナーを備える。ファスナーは、１枚のシート、ならびに、そのシート上に形成された雄型および雌型を含む。１枚のシートは頂部が収容空間に向けて突出するように２つに折り曲げられた折曲部分を含む。
【０００３】
雄型は折り曲げられたシートの一方の領域である第１の領域に形成される。雌型は折り曲げられたシートの他方の領域である第２の領域に形成される。１枚のシートの折曲部分およびその付近は他の部分よりも厚みが薄い。第１の領域および第２の領域はその背面がそれぞれ袋シートにシールされている。このため、ファスナーの雄型および雌型と収容空間とが折曲部分を含む１枚のシートにより隔てられている。
【先行技術文献】
【特許文献】
【０００４】
【特許文献１】特開２００５−２０６１６２号公報
【発明の概要】
【発明が解決しようとする課題】
【０００５】
特許文献１は上記パウチの製造方法を明示していない。一般的なパウチの製造方法に照らし合わせると上記パウチは次の工程を経て製造されると考えられる。最初に、一対の袋シートのそれぞれにファスナーを構成する１枚のシートがシールされ、ファスナーの雄型および雌型とパウチの収容空間とが１枚のシートにより隔てられる。次に、一対の袋シートの底部以外の各辺が互いにシールされ、底部が開放されたパウチが製造される。
【０００６】
次に、そのパウチの底部が上方を向くように充填機にセットされ、底部の開口から収容空間に内容物が投入される。このとき、投入された内容物が１枚のシートにより受けられるため、内容物がファスナーの雄型および雌型に接触しない。最後に、パウチの底部がシールされ、収容空間が閉鎖されたパウチが製造される。このパウチが搬送される過程において内容物が移動したとしても、その内容物がファスナーの雄型および雌型に付着することが１枚のシートにより妨げられる。
【０００７】
上記パウチを入手したエンドユーザーはシールされているパウチの上辺を切り取り、パウチの上部を開封し、結合しているファスナーの雄型と雌型とを分離する。１枚のシートの折曲部分は雄型と雌型とを分離するためにシートに加えられる力により破断する。このため、パウチの収容空間が開放される。エンドユーザーが１枚のシートを破断するまで、内容物がファスナーの雄型および雌型に付着することが１枚のシートにより妨げられるため、エンドユーザーがパウチの上辺を切り取った段階で内容物が付着した雄型および雌型がエンドユーザーに視認されるおそれが低減される。
【０００８】
上記パウチの製造段階において、パウチの底部から収容空間に投入される内容物の量が多い場合または内容物が落下する速度が高い場合、投入された内容物を受ける１枚のシートに強い力が加えられるため、その力により１枚のシートの折曲部分が破断するおそれがある。
【０００９】
本発明の目的は、ファスナーの雄型および雌型に内容物が付着しにくいパウチおよび内容物封入パウチを提供することである。
【課題を解決するための手段】
【００１０】
〔１〕本発明に従うパウチの一形態は、内容物を収容可能な収容空間、前記収容空間を開放する第１の開口部、および、前記収容空間を開放し、前記第１の開口部と対向しないように形成される第２の開口部を含む袋本体と、前記袋本体に取り付けられ、前記第１の開口部を開封および密封するファスナーと、前記ファスナーの雄型および雌型と前記収容空間とを隔てるように前記袋本体に取り付けられ、前記ファスナーが開封されることにともない破断可能な脆弱部を含む閉鎖シートとを備える。
【００１１】
上記パウチに内容物が投入される場合、第２の開口部が上方を向くようにパウチが充填機にセットされ、その第２の開口部から収容空間に内容物が投入される。このとき、投入された内容物は主に袋本体のうちの第２の開口部と対向する部分により受けられ、閉鎖シートの脆弱部に強い力が加えられにくい。このため、エンドユーザーが雄型と雌型とを分離する力を袋シートに加える前に脆弱部が破断するおそれが低減され、ファスナーの雄型および雌型に内容物が付着しにくい。
【００１２】
〔２〕前記パウチの一例によれば、前記袋本体は少なくとも第１の辺および第２の辺を含み、前記第１の開口部は前記第１の辺に形成され、前記第２の開口部は前記第２の辺に形成される。
【００１３】
上記パウチによれば、第１の開口部および第２の開口部が袋本体の１つの辺に形成される場合と比較して、第１の開口部の領域を広く確保できる。このため、エンドユーザーが第１の開口部から収容空間に食材等を投入する場合、その作業性が高められる。
【００１４】
〔３〕前記パウチの一例によれば、スタンディングパウチであり、前記第１の辺は前記袋本体の上部の辺であり、前記第２の辺は前記袋本体の側部の辺である。
〔４〕前記パウチの一例によれば、前記袋本体は外方に突出するように形成された突出部を含み、前記突出部は前記第２の辺を含む。
【００１５】
上記パウチの第２の開口部がシールされる場合、例えば袋本体のうちの突出部よりも袋本体の中心側に位置する両隣の部分がシール装置のチャックによりチャッキングされ、第２の辺に沿ってシール装置のヘッドが移動することにより第２の開口部がシールされる。上記パウチによれば、上述のとおりシール装置のチャックがヘッドの移動軌跡から外れた部分をチャックできるため、第２の開口部のシールに関する作業性が高められる。
【００１６】
〔５〕前記パウチの一例によれば、前記脆弱部は前記閉鎖シートを貫通しないように形成された切り込みである。
上記パウチによれば、ファスナーの雄型と雌型とを分離する力が袋シートに加えられることにより閉鎖シートの切り込みに応力が集中し、閉鎖シートのうちの切り込みが形成された部分から閉鎖シートが破断し、収容空間が開放される。この構成によれば、例えば閉鎖シートに開口が形成され、その開口がシールされ、そのシールがエンドユーザーにより破断される場合と異なり、シールの破断にともないシールの一部が糸を引きにくい。
【００１７】
〔６〕前記パウチの一例によれば、前記ファスナーは、前記雄型が形成される雄型シート、および、前記雌型が形成される雌型シートをさらに含み、前記閉鎖シートは、前記雄型シートから前記収容空間側に伸びる第１の閉鎖シート、および、前記雌型シートから前記収容空間側に伸び、前記第１の閉鎖シートと繋がる第２の閉鎖シートを含み、前記雄型シート、前記第１の閉鎖シート、前記第２の閉鎖シート、および、前記雌型シートは１枚のシートを構成する。
【００１８】
上記パウチによれば、雄型シート、雌型シート、および、閉鎖シートにより構成される１枚のシートが形成されることにより、雄型および雌型に対する閉鎖シートに位置が決められる。このため、雄型シートおよび雌型シートとは別に閉鎖シートが袋シートにシールされる構成と比較して、雄型および雌型に対する閉鎖シートの位置が正確に決められる。
【００１９】
〔７〕前記パウチの一例によれば、前記閉鎖シートは前記第１の閉鎖シートと前記第２の閉鎖シートとがシールされたシール部を含み、前記第１の閉鎖シートおよび前記第２の閉鎖シートの少なくとも一方に前記脆弱部が形成される。
【００２０】
上記パウチによればその製造過程において、第１の閉鎖シートと繋がる雄型シートと第２の閉鎖シートと繋がる雌型シートとを個別に取り扱うことができる。このため、雄型シート、雌型シート、および、閉鎖シートが一体化した１枚のシートを構成する場合と比較して、パウチの製造時に各シートの取り扱いに関する選択の幅が広げられる。
【００２１】
〔８〕前記パウチの一例によれば、前記第１の閉鎖シートおよび前記第２の閉鎖シートは互いに対向する面である対向面を含み、前記第１の閉鎖シートおよび前記第２の閉鎖シートの少なくとも一方の前記対向面に前記切り込みが形成される。
【００２２】
ファスナーの雄型と雌型とが分離するように一対の袋シートに力が加えられた場合、第１の閉鎖シートの対向面と第２の閉鎖シートの対向面とが互いに離間するようにこれらの閉鎖シートにも力が加えられる。このため、各閉鎖シートの対向面に切り込みが形成される上記パウチによれば、エンドユーザーが切り込みを破断しやすい。
【００２３】
〔９〕前記パウチの一例によれば、前記雄型シート、前記第１の閉鎖シート、前記第２の閉鎖シート、および、前記雌型シートは一体成形された１枚のシートであり、前記閉鎖シートは前記収容空間に向けて突出するように２つに折り曲げられた部分である折曲部分を含む。
【００２４】
上記パウチによれば、雄型シートおよび雌型シートがそれぞれ袋シートにシールされることにより雄型および雌型と収容空間とが閉鎖シートにより隔てられる。このため、雄型シート、雌型シート、および、閉鎖シートが個別に袋シートにシールされる構成と比較して、パウチを製造するために必要なシールの回数が削減される。
【００２５】
〔１０〕前記パウチの一例によれば、前記折曲部分に前記脆弱部が形成される。
上記パウチによれば、ファスナーの雄型と雌型とを分離する力が袋シートに加えられることにより、閉鎖シートの折曲部分が閉鎖シートの他の部分よりも応力が集中しやすい。このため、閉鎖シートの折曲部分に脆弱部が形成される上記パウチによれば、エンドユーザーが脆弱部を破断しやすい。
【００２６】
〔１１〕本発明に従う内容物封入パウチの一形態は、上記〔１〕〜〔１０〕のいずれかに記載のパウチと、前記収容空間に収容された内容物とを備え、前記第１の開口部および前記第２の開口部が閉じられている。
【００２７】
上記内容物封入パウチによれば、上記〔１〕〜〔１０〕のパウチにより得られる効果と実質的に同じ効果が得られる。
【発明の効果】
【００２８】
上記パウチおよび内容物封入パウチはファスナーの雄型および雌型に内容物が付着しにくい。
【図面の簡単な説明】
【００２９】
【図１】第１実施形態のパウチの正面図。
【図２】図１のパウチに内容物が収容された内容物封入パウチの正面図。
【図３】図１のＺ３−Ｚ３線に沿う断面図。
【図４】図１のＺ４−Ｚ４線に沿う断面図。
【図５】図２の内容物封入パウチのファスナーが開封された状態を示す断面図。
【図６】第２実施形態のパウチの断面図。
【図７】第３実施形態のパウチの断面図。
【図８】変形例のパウチの断面図。
【発明を実施するための形態】
【００３０】
（第１実施形態）
図１は内容物が封入されていないスタンディングパウチ（以下では「パウチ１」）の外観である。パウチ１は、互いに対向する第１の袋シート１１および第２の袋シート１２、ならびに、パウチ１を自立させるためのガゼットシート１３を含む袋本体１０を備える。袋本体１０は各シート１１〜１３の縁が互いにシールされることにより構成され、内容物１１０（図２参照）を収容可能な収容空間３１、および、収容空間３１と繋がることにより収容空間３１を外部に開放する開口空間３２を含む内部空間３０を形成する。
【００３１】
内容物１１０は例えば加熱調理して食される液体調味料である。収容空間３１に内容物１１０が投入されたパウチ１がシールされることにより、図２に示されるとおり内容物１１０を含むパウチ１である内容物封入パウチ１００が構成される。なお、図１および図２に示されるドットは袋本体１０のうちのシールされた部分を示している。
【００３２】
各シート１１〜１３は同一の層構造を有する積層シートであり、例えば透明な材料により形成された最外層、中間層、および、最内層を含む。最外層を構成する材料の一例はポリエチレンテレフタレートである。中間層は例えば、印刷層、第１接着層、延伸ナイロン層、および、第２接着層を含む。印刷層は最外層の内側に形成され、外面に絵柄および商品説明のテキスト等が印刷される。第１接着層は印刷層の内側に形成されている。延伸ナイロン層は第１接着層の内側に形成されている。第２接着層は延伸ナイロン層の内側に形成されている。最内層は第２接着層の内側に形成されている。最内層を構成する材料の一例は無延伸ポリプロピレンである。
【００３３】
袋本体１０は、複数の辺２０、袋本体１０の中心側から袋本体１０の側部の外方に突出するように形成された突出部１４、開口空間３２を形成する第１の開口部１５、および、第１の開口部１５とは別の位置で収容空間３１を開放し、第１の開口部１５と対向しないように形成される第２の開口部１６を含む。複数の辺２０は、袋本体１０の上部の辺である第１の辺２１、袋本体１０の一方の側部の辺である第２の辺２２、袋本体１０の他方の側部の辺である第３の辺２３、および、袋本体１０の底部の辺である一対の第４の辺２４を含む。
【００３４】
第１の開口部１５と対向しない第２の開口部１６の形成位置の一例は、複数の辺２０のうちの第１の開口部１５が形成される辺である第１の辺２１とは別の辺であり、第１の辺２１と対向しない辺である。その辺は例えば第２の辺２２である。第２の開口部１６は例えば第２の辺２２を含む突出部１４に形成される。なお、同一の辺に第１の開口部１５および第２の開口部１６が形成される場合、その第２の開口部１６の形成位置は第１の開口部１５と対向しない形成位置の一例に該当する。
【００３５】
図２に示されるとおり、内容物封入パウチ１００の複数の辺２０はそれぞれシールされている。第１の辺２１は第１の開口部１５を閉じている。第２の辺２２は屈曲した部分を２箇所含む辺であり、第２の開口部１６を含む袋本体１０の一方の側部を閉じている。第３の辺２３は袋本体１０の他方の側部を閉じている。第４の辺２４は袋本体１０の底部を閉じている。第２の辺２２の上部および第３の辺２３の上部にノッチ１７が形成されている。第１の辺２１の下部にノッチ１７と繋がる切取線１８が形成されている。切取線１８は第１の辺２１に沿って第２の辺２２から第３の辺２３までにわたって形成されている。ノッチ１７および切取線１８に従って袋本体１０の一部が切り取られることにより第１の辺２１が袋本体１０から分離される。
【００３６】
第１の開口部１５は内容物１１０とともに加熱する物体をエンドユーザーが収容空間３１に投入するため、および、加熱された内容物１１０を袋本体１０から取り出すために利用される。第２の開口部１６は内容物封入パウチ１００を製造する工程において利用される袋本体１０の開口であり、エンドユーザーには利用されない。
【００３７】
図３は図１のＺ３−Ｚ３線の断面図である。パウチ１はさらに、袋本体１０に取り付けられ、第１の開口部１５を開封および密封するファスナー４０を備える。
ファスナー４０は、互いに嵌め合わせられる雄型５１Ａおよび雌型５２Ａ、雄型５１Ａが形成される雄型シート５１、ならびに、雌型５２Ａが形成される雌型シート５２を含む。雄型５１Ａおよび雄型シート５１は樹脂材料により一体成形される。雌型５２Ａおよび雌型シート５２は樹脂材料により一体成形される。ファスナー４０を構成する樹脂材料の一例はポリプロピレンである。雄型シート５１の背面は第２の辺２２から第３の辺２３（図１参照）までにわたり第１の袋シート１１および第２の袋シート１２の一方の内面とシールされる。雌型シート５２の背面は第２の辺２２から第３の辺２３までにわたり第１の袋シート１１および第２の袋シート１２の他方の内面とシールされる。図示される例では、第２の袋シート１２の内面に雄型シート５１がシールされ、第１の袋シート１１の内面に雌型シート５２がシールされている。
【００３８】
図１に示されるとおり、雄型５１Ａおよび雌型５２Ａ（図３参照）はエンドユーザーによる開封に適した嵌合強度を有する一般部４１、および、一般部４１よりも嵌合強度が低い易開封部４２を含む。ファスナー４０の長手方向における易開封部４２の長さは、ファスナー４０の長手方向における一般部４１の長さよりも短い。易開封部４２は例えば一般部４１を分断するように限定的な狭い範囲に形成される。なお、図３はファスナー４０の一般部４１の構造を示している。
【００３９】
図３に示されるとおり、パウチ１はさらに、雄型シート５１および雌型シート５２と協働して袋本体１０の内部空間３０を内容物１１０（図２参照）が収容される空間を含む収容空間３１と雄型５１Ａおよび雌型５２Ａが配置される空間を含む開口空間３２とに区画する閉鎖シート６０を備える。すなわち、閉鎖シート６０はファスナー４０の雄型５１Ａおよび雌型５２Ａと収容空間３１とを隔てるように袋本体１０に取り付けられている。閉鎖シート６０を構成する材料の一例はポリプロピレンである。
【００４０】
閉鎖シート６０は、雄型シート５１から収容空間３１側に伸びる第１の閉鎖シート６１、雌型シート５２から収容空間３１側に伸びる第２の閉鎖シート６２、および、第１の閉鎖シート６１と第２の閉鎖シート６２とがシールされたシール部６３を含む。第１の閉鎖シート６１および第２の閉鎖シート６２は互いに対向する面である対向面６１Ａ，６２Ａを含む。
【００４１】
第１の閉鎖シート６１の対向面６１Ａにおける収容空間３１側の端部と、第２の閉鎖シート６２の対向面６２Ａにおける収容空間３１側の端部とが互いにシールされることによりシール部６３が形成される。すなわち、シール部６３は閉鎖シート６０のうちのファスナー４０から最も離れた部分に形成される。シール部６３はファスナー４０を開封するために袋本体１０に加えられる力により破断しない程度の強度を有する。
【００４２】
第１の閉鎖シート６１と第２の閉鎖シート６２とがシールされていることにより雄型シート５１、閉鎖シート６０、および、雌型シート５２は１枚のシート７０を構成している。すなわち、シート７０が袋本体１０の内部空間３０を下部の収容空間３１と上部の開口空間３２とに区画している。
【００４３】
閉鎖シート６０はさらに、ファスナー４０が開封されることにともない破断可能な複数の脆弱部６４を含む。一例では複数の脆弱部６４は第１の脆弱部６４および第２の脆弱部６４を含む。第１の脆弱部６４は第１の閉鎖シート６１の対向面６１Ａにおいて第１の閉鎖シート６１を貫通しないようにシール部６３寄りの部分に形成された切り込みである。第２の脆弱部６４は第２の閉鎖シート６２の対向面６２Ａにおいて第２の閉鎖シート６２を貫通しないようにシール部６３寄りの部分に形成された切り込みである。
【００４４】
各脆弱部６４はファスナー４０の長手方向に沿って閉鎖シート６０の一方の縁から他方の縁までにわたり形成される。切り込みの深さは例えば閉鎖シート６０の厚みの半分程度である。各脆弱部６４はファスナー４０の雄型５１Ａと雌型５２Ａとを分離するために袋本体１０に加えられる力により破断する程度の強度を有する。
【００４５】
図４はファスナー４０の易開封部４２の構造を示す。ファスナー４０の易開封部４２は、ファスナー４０の雄型５１Ａおよび雌型５２Ａが実質的に嵌合しないように雄型５１Ａおよび雌型５２Ａの少なくとも一方が潰された部分である。一例では易開封部４２の嵌合強度は実質的に０である。
【００４６】
パウチ１および内容物封入パウチ１００は例えば次の手順により製造される。
図３に示されるとおり、最初に雄型５１Ａ、雄型シート５１、および、第１の閉鎖シート６１を含む成型品、ならびに、雌型５２Ａ、雌型シート５２、および、第２の閉鎖シート６２を含む成型品がそれぞれ樹脂成形される。次に、第１の閉鎖シート６１と第２の閉鎖シート６２とがシール部６３においてシールされ、雄型シート５１、第１の閉鎖シート６１、第２の閉鎖シート６２、および、雌型シート５２により構成される１枚のシート７０が形成される。次に、雄型シート５１および雌型シート５２が各袋シート１１，１２にシールされ、袋本体１０の第２の辺２２を除く各シート１１〜１３の縁が互いにシールされることにより、第２の開口部１６が開放された図１のパウチ１が製造される。
【００４７】
次に、パウチ１の第２の開口部１６が上方を向くように充填機（図示略）にセットされ、充填機により第２の開口部１６から収容空間３１に内容物１１０が投入される。具体的には、袋本体１０のうちの突出部１４よりも袋本体１０の中心側に位置する両隣の部分が充填機のチャックによりチャッキングされ、第２の開口部１６に充填機のノズルが挿入され、ノズルから収容空間３１に内容物１１０が投入される。
【００４８】
最後に、パウチ１の第２の開口部１６がシール装置（図示略）によりシールされることにより、第１の開口部１５および第２の開口部１６が閉じられた図２の内容物封入パウチ１００が製造される。具体的には、袋本体１０のうちの突出部１４よりも袋本体１０の中心側に位置する両隣の部分がシール装置のチャックによりチャッキングされ、例えば第２の辺２２に沿ってシール装置のヘッドが移動することにより第２の開口部１６がシールされる。
【００４９】
内容物封入パウチ１００が搬送される過程において内容物１１０が移動したとしても、その内容物１１０がファスナー４０の雄型５１Ａおよび雌型５２Ａに付着することが１枚のシート７０により妨げられる。このため、袋本体１０の第１の辺２１が切り取られてファスナー４０が開封されるまでの間に雄型５１Ａおよび雌型５２Ａに内容物１１０が付着するおそれが低減される。
【００５０】
図２および図５を参照して、内容物封入パウチ１００の使用方法の一例を示す。
内容物封入パウチ１００を使用するエンドユーザーは、次の手順により内容物封入パウチ１００を用いて食材を加熱調理する。エンドユーザーは、袋本体１０の第１の辺２１を切取線１８に沿って切り取る。このため、ファスナー４０の開封が可能な状態が形成される。エンドユーザーは次に、図５に示されるとおりファスナー４０を開封する。この開封動作にともない閉鎖シート６０の第１の脆弱部６４および第２の脆弱部６４の一方が破断され、第１の開口部１５が開放される。これにより、内部空間３０における収容空間３１および開口空間３２が繋げられる。
【００５１】
エンドユーザーは次に、パウチ１の第１の開口部１５から収容空間３１に食材を投入し、ファスナー４０を閉じることにより第１の開口部１５を密封し、パウチ１を電子レンジ等の加熱手段にセットする。パウチ１が加熱手段により加熱されることにより内容物１１０から蒸気が発生し、ファスナー４０により密封された内部空間３０の圧力が上昇する。このとき、内容物１１０および追加された食材が蒸気により蒸らされる。また、内部空間３０の圧力の上昇にともない内部空間３０に滞留している蒸気が易開封部４２を介してパウチ１の外部に流れ出る。このため、内容物１１０から蒸気が発生し続けている場合であっても内部空間３０の圧力の上昇が抑えられ、内部空間３０の圧力が過度に高くなりにくい。
【００５２】
エンドユーザーは、パウチ１を加熱した時間が規定の時間に達したとき、パウチ１を電子レンジ等の加熱手段から取り出してファスナー４０を開封し、内容物１１０を第１の開口部１５から外部に取り出す。なお、パウチ１の別の使用方法によれば、袋本体１０の第１の辺２１が切取線１８に沿って切り取られた後、収容空間３１に食材が投入されることなく、予め袋本体１０に収容されている内容物１１０だけが加熱手段により加熱される。
【００５３】
パウチ１によれば以下の作用および効果が得られる。
第２の開口部１６が第１の開口部１５と対向しない位置に形成される。このため、上述のとおり充填機にセットされたパウチ１の第２の開口部１６から収容空間３１に内容物１１０が投入されたとき、投入された内容物１１０は主に袋本体１０のうちの第２の開口部１６と対向する部分である第３の辺２３により受けられ、閉鎖シート６０の脆弱部６４に強い力が加えられにくい。このため、エンドユーザーが雄型５１Ａと雌型５２Ａとを分離する力を袋シート１１，１２に加える前に脆弱部６４が破断するおそれが低減され、ファスナー４０の雄型５１Ａおよび雌型５２Ａに内容物１１０が付着しにくい。
【００５４】
第１実施形態のパウチ１によれば、さらに以下の効果が得られる。
（１）パウチ１によれば、第１の開口部１５が袋本体１０の第１の辺２１に形成され、第２の開口部１６が袋本体１０の第２の辺２２に形成されているため、袋本体１０の同一の辺に第１の開口部１５および第２の開口部１６が形成される場合と比較して、第１の開口部１５の領域を広く確保できる。このため、エンドユーザーが第１の開口部１５から収容空間３１に食材等を投入する場合、その作業性が高められる。
【００５５】
（２）パウチ１の第２の開口部１６がシールされる場合、例えば袋本体１０のうちの突出部１４よりも袋本体１０の中心側に位置する両隣の部分がシール装置のチャックによりチャッキングされ、第２の辺２２に沿ってシール装置のヘッドが移動することにより第２の開口部１６がシールされる。パウチ１によれば、袋本体１０の突出部１４に第２の開口部１６が形成されているため、シール装置のチャックがヘッドの移動軌跡から外れた部分をチャックできる。このため、第２の開口部１６のシールに関する作業性が高められる。
【００５６】
（３）パウチ１によれば、ファスナー４０の雄型５１Ａと雌型５２Ａとを分離する力が袋シート１１，１２に加えられることにより閉鎖シート６０の脆弱部６４である切り込みに応力が集中し、閉鎖シート６０のうちの切り込みが形成された部分から閉鎖シート６０が破断し、収容空間３１が開放される。この構成によれば、例えば閉鎖シート６０に開口が形成され、その開口がシールされ、そのシールがエンドユーザーにより破断される場合と異なり、シールの破断にともないシールの一部が糸を引きにくい。
【００５７】
（４）パウチ１によれば、雄型シート５１、雌型シート５２、および、閉鎖シート６０により構成される１枚のシート７０が形成されるため、雄型５１Ａおよび雌型５２Ａに対する閉鎖シート６０に位置が決められる。このため、雄型シート５１および雌型シート５２とは別に閉鎖シート６０が袋シート１１，１２にシールされる構成と比較して、雄型５１Ａおよび雌型５２Ａに対する閉鎖シート６０の位置が正確に決められる。
【００５８】
（５）パウチ１によれば、第１の閉鎖シート６１と第２の閉鎖シート６２とがシール部６３においてシールされる。このため、シール部６３が形成される前の製造過程において、第１の閉鎖シート６１と繋がる雄型シート５１と第２の閉鎖シート６２と繋がる雌型シート５２とを個別に取り扱うことができる。このため、雄型シート５１、雌型シート５２、および、閉鎖シート６０が一体化した１枚のシートを構成する場合と比較して、パウチ１の製造時に各シート５１，５２の取り扱いに関する選択の幅が広げられる。
【００５９】
（６）ファスナー４０の雄型５１Ａと雌型５２Ａとが分離するように一対の袋シート１１，１２に力が加えられた場合、第１の閉鎖シート６１の対向面６１Ａと第２の閉鎖シート６２の対向面６２Ａとが互いに離間するようにこれらの閉鎖シート６１，６２にも力が加えられる。このため、各閉鎖シート６１，６２の対向面６１Ａ，６２Ａに切り込みが形成されるパウチ１によれば、エンドユーザーが切り込みを破断しやすい。
【００６０】
（７）パウチ１によれば、ファスナー４０の雄型５１Ａと雌型５２Ａとを分離する力が袋シート１１，１２に加えられることにより、各閉鎖シート６１，６２のシール部６３よりの部分に応力が集中しやすい。このため、各閉鎖シート６１，６２のシール部６３よりの部分に脆弱部６４が形成されるパウチ１によれば、エンドユーザーが脆弱部６４を破断しやすい。
【００６１】
（第２実施形態）
第２実施形態のパウチ１は、以下に説明する点において第１実施形態のパウチ１と相違し、その他の点において第１実施形態のパウチ１と実質的に同じ構成を備える。なお、第２実施形態のパウチ１の説明では、第１実施形態のパウチ１と共通する構成に同一の符号を付し、その構成の説明の一部または全部を省略する。
【００６２】
図６に示されるとおり、パウチ１は第１実施形態の閉鎖シート６０に代えて閉鎖シート１６０を備える。雄型シート５１、閉鎖シート１６０、および、雌型シート５２は樹脂材料により一体成形された１枚のシート１７０を構成している。すなわち、シート１７０が袋本体１０の内部空間３０を下部の収容空間３１と上部の開口空間３２とに区画している。シート１７０は閉鎖シート６０において２つに折り曲げられ、雄型シート５１および雌型シート５２において袋本体１０と接合されている。
【００６３】
閉鎖シート１６０は折り曲げられた部分である折曲部分１６３を境に第１の閉鎖シート１６１および第２の閉鎖シート１６２に区分され、ファスナー４０が開封されることにともない破断可能な脆弱部１６４を含む。
【００６４】
脆弱部１６４は折曲部分１６３においてファスナー４０側の面に形成された切り込みである。この切り込みは、閉鎖シート１６０を貫通しないようにファスナー４０の長手方向に沿って形成される。切り込みの深さは閉鎖シート１６０の厚みの半分程度である。脆弱部１６４はファスナー４０の雄型５１Ａと雌型５２Ａとを分離するために袋本体１０に加えられる力により破断する程度の強度を有する。このため、ファスナー４０が開封されることにより閉鎖シート１６０に形成された脆弱部１６４が破断し、第１の開口部１５が開放される。
【００６５】
パウチ１および内容物封入パウチ１００は例えば次に手順により製造される。
最初に雄型５１Ａおよび雄型シート５１を含む成形品、閉鎖シート１６０、ならびに、雌型５２Ａおよび雌型シート５２を含む成形品が樹脂材料により一体成形された１枚のシート１７０が形成される。次に、雄型シート５１および雌型シート５２が各袋シート１１，１２にシールされ、袋本体１０の第２の辺２２を除く各シート１１〜１３の縁が互いにシールされることにより、第２の開口部１６が開放された図１のパウチ１が製造される。
【００６６】
次に、第１実施形態と同様にパウチ１の第２の開口部１６から収容空間３１に内容物１１０が投入される。最後に、第１実施形態と同様にパウチ１の第２の開口部１６がシールされることにより、第１の開口部１５および第２の開口部１６が閉じられた図２の内容物封入パウチ１００が製造される。
【００６７】
内容物封入パウチ１００が搬送される過程において内容物１１０が移動したとしても、その内容物１１０がファスナー４０の雄型５１Ａおよび雌型５２Ａに付着することが１枚のシート１７０により妨げられる。このため、袋本体１０の第１の辺２１が切り取られてファスナー４０が開封されるまでの間に雄型５１Ａおよび雌型５２Ａに内容物１１０が付着するおそれが低減される。
【００６８】
第２実施形態のパウチ１によれば、第１実施形態により得られる作用および（１）〜（４）の効果に加えて、さらに以下の効果が得られる。
（８）パウチ１によれば、雄型シート５１、閉鎖シート１６０、および、雌型シート５２が樹脂材料により一体成形された１枚のシート１７０を構成している。このため、雄型シート５１および雌型シート５２がそれぞれ袋シート１１，１２にシールされることにより雄型５１Ａおよび雌型５２Ａと収容空間３１とが閉鎖シート１６０により隔てられる。このため、雄型シート５１、雌型シート５２、および、閉鎖シート１６０が個別に袋シート１１，１２にシールされる構成と比較して、パウチ１を製造するために必要なシールの回数が削減される。
【００６９】
（９）パウチ１によれば、ファスナー４０の雄型５１Ａと雌型５２Ａとを分離する力が袋シート１１，１２に加えられることにより、閉鎖シート１６０の折曲部分１６３が閉鎖シート１６０の他の部分よりも応力が集中しやすい。このため、閉鎖シート１６０の折曲部分１６３に脆弱部１６４が形成されるパウチ１によれば、エンドユーザーが脆弱部１６４を破断しやすい。
【００７０】
（１０）ファスナー４０の雄型５１Ａと雌型５２Ａとが分離するように一対の袋シート１１，１２に力が加えられた場合、第１の閉鎖シート１６１のファスナー４０側の面と第２の閉鎖シート６２のファスナー４０側の面とが互いに離間するようにこれらの閉鎖シート１６１，１６２にも力が加えられる。このため、閉鎖シート１６０のファスナー４０側の面に切り込みが形成されるパウチ１によれば、エンドユーザーが切り込みを破断しやすい。
【００７１】
（第３実施形態）
第３実施形態のパウチ１は、以下に説明する点において第１実施形態のパウチ１と相違し、その他の点において第１実施形態のパウチ１と実質的に同じ構成を備える。なお、第３実施形態のパウチ１の説明では、第１実施形態のパウチ１と共通する構成に同一の符号を付し、その構成の説明の一部または全部を省略する。
【００７２】
図７に示されるとおり、パウチ１は第１実施形態の閉鎖シート６０に代えて閉鎖シート２６０を備える。雄型シート５１および雌型シート５２の一方、ならびに、閉鎖シート２６０は樹脂材料により一体成型された１枚のシート２７０を構成している。図示される例では、雌型シート５２および閉鎖シート２６０により１枚のシート２７０が形成される。
【００７３】
閉鎖シート２６０は、雌型シート５２から収容空間３１側に伸びる閉鎖部２６１、および、雄型シート５１が取り付けられる第２の袋シート１２の内面とシールされたシール部２６２を含む。閉鎖部２６１は閉鎖シート２６０のうちの雌型シート５２とシール部２６２との間の部分である。シール部２６２は例えば閉鎖シート２６０の端部に形成され、ファスナー４０を開封するために袋本体１０に加えられる力により破断しない程度の強度を有する。
【００７４】
閉鎖シート２６０はさらに、ファスナー４０が開封されることにともない破断可能な脆弱部２６３を含む。脆弱部２６３は閉鎖シート２６０の閉鎖部２６１においてファスナー４０側の面に形成された切り込みである。この切り込みは、閉鎖シート２６０を貫通しないようにファスナー４０の長手方向に沿って形成される。切り込みの深さは閉鎖シート２６０の厚みの半分程度である。脆弱部２６３はファスナー４０の雄型５１Ａと雌型５２Ａとを分離するために袋本体１０に加えられる力により破断する程度の強度を有する。このため、ファスナー４０が開封されることにより閉鎖シート２６０に形成された脆弱部２６３が破断し、第１の開口部１５が開放される。
【００７５】
パウチ１および内容物封入パウチ１００は例えば次に手順により製造される。
最初に雄型５１Ａおよび雄型シート５１を含む成形品、ならびに、雌型５２Ａ、雌型シート５２、および、閉鎖シート２６０を含む成形品がそれぞれ樹脂成型される。次に、雄型シート５１および雌型シート５２が各袋シート１１，１２にシールされ、閉鎖シート２６０のシール部２６２が第２の袋シート１２の内面にシールされる。これにより、雌型シート５２および閉鎖シート２６０により構成される１枚のシート２７０が形成される。次に、袋本体１０の第２の辺２２を除く各シート１１〜１３の縁が互いにシールされることにより、第２の開口部１６が開放された図１のパウチ１が製造される。
【００７６】
次に、第１実施形態と同様にパウチ１の第２の開口部１６から収容空間３１に内容物１１０が投入される。最後に、第１実施形態と同様にパウチ１の第２の開口部１６がシールされることにより、第１の開口部１５および第２の開口部１６が閉じられた図２の内容物封入パウチ１００が製造される。
【００７７】
内容物封入パウチ１００が搬送される過程において内容物１１０が移動したとしても、その内容物１１０がファスナー４０の雄型５１Ａおよび雌型５２Ａに付着することが１枚のシート２７０により妨げられる。このため、袋本体１０の第１の辺２１が切り取られてファスナー４０が開封されるまでの間に雄型５１Ａおよび雌型５２Ａに内容物１１０が付着するおそれが低減される。
【００７８】
第３実施形態のパウチ１によれば、第１実施形態により得られる作用および（１）〜（３）の効果に加えて、さらに以下の効果が得られる。
（１１）パウチ１によれば、雄型シート５１および雌型シート５２が各袋シート１１，１２にシールされる前の製造過程において、雄型シート５１と閉鎖シート２６０と繋がる雌型シート５２とを個別に取り扱うことができる。このため、雄型シート５１、雌型シート５２、および、閉鎖シート２６０が一体化した１枚のシートを構成する場合と比較して、パウチ１の製造時に各シート５１，５２の取り扱いに関する選択の幅が広げられる。
【００７９】
（１２）ファスナー４０の雄型５１Ａと雌型５２Ａとが分離するように一対の袋シート１１，１２に力が加えられた場合、閉鎖シート２６０のファスナー４０側の面が引っ張られるように力が加えられる。このため、閉鎖シート２６０のファスナー４０側の面に切り込みが形成されるパウチ１によれば、エンドユーザーが切り込みを破断しやすい。
【００８０】
（変形例）
上記各実施形態に関する説明は本発明に従うパウチおよび内容物封入パウチが取り得る形態の例示であり、その形態を制限することを意図していない。本発明に従うパウチおよび内容物封入パウチは上記各実施形態以外に例えば以下に示される実施形態の変形例、および、相互に矛盾しない少なくとも２つの変形例が組み合わせられた形態を取り得る。
【００８１】
・第１実施形態の閉鎖シート６０の形態は任意に変更可能である。一例では、閉鎖シート６０である第１の閉鎖シート６１および第２の閉鎖シート６２はファスナー４０とは別に形成される。第１の閉鎖シート６１は第１の袋シート１１および第２の袋シート１２の一方の内面とシールされる。第２の閉鎖シート６２は第１の袋シート１１および第２の袋シート１２の他方の内面とシールされる。第１の閉鎖シート６１と第２の閉鎖シート６２とはシール部６３においてシールされる。
【００８２】
・第１実施形態の第１の脆弱部６４の形成位置は任意に変更可能である。一例では、第１の閉鎖シート６１のうちのファスナー４０寄りの部分または第１の閉鎖シート６１の中間部分に脆弱部６４が形成される。別の一例では、第１の閉鎖シート６１の対向面６１Ａとは反対側の面に第１の脆弱部６４が形成される。この脆弱部６４は、第１の閉鎖シート６１のうちのシール部６３寄りの部分、ファスナー４０寄りの部分、または、第１の閉鎖シート６１の中間部分に形成される。なお、第２の脆弱部６４の形成位置も同様に変更可能である。
【００８３】
・第１実施形態の脆弱部６４の形態は任意に変更可能である。図８は変形例の脆弱部６４の一例を示す。この脆弱部６４は第１の閉鎖シート６１と第２の閉鎖シート６２とが弱くシールされた部分である。脆弱部６４は雄型５１Ａと雌型５２Ａとを分離するために袋本体１０に加えられる力により破断する程度の強度を有する。
【００８４】
・第２実施形態の閉鎖シート１６０の形態は任意に変更可能である。一例では、閉鎖シート１６０はファスナー４０とは別に形成される。第１の閉鎖シート１６１は第１の袋シート１１および第２の袋シート１２の一方の内面とシールされる。第２の閉鎖シート１６２は第１の袋シート１１および第２の袋シート１２の他方の内面とシールされる。
【００８５】
・第２実施形態の脆弱部１６４の形成位置は任意に変更可能である。一例では、閉鎖シート１６０のうちの折曲部分１６３とは別の部分に脆弱部１６４が形成される。
・第３実施形態の閉鎖シート２６０の形態は任意に変更可能である。一例では、雄型シート５１から収容空間３１側に伸びるように形成され、第１の袋シート１１の内面とシールされた閉鎖シート２６０が形成される。
【００８６】
・第１実施形態の脆弱部６４、第２実施形態の脆弱部１６４、および、第３実施形態の脆弱部２６３の数は任意に変更可能である。一例では、第１実施形態において第１の閉鎖シート６１および第２の閉鎖シート６２の一方だけに脆弱部６４が形成される。
【００８７】
・各実施形態の脆弱部６４，１６４，２６３の形態は、ファスナー４０の雄型５１Ａと雌型５２Ａとを分離するために袋本体１０に加えられる力により破断する程度の強度を有する範囲において任意に変更可能である。一例では、脆弱部６４，１６４，２６３はファスナー４０の長手方向において不連続に形成される。別の一例では、脆弱部６４，１６４，２６３は閉鎖シート６０，１６０，２６０の別の部分よりも厚みが薄い薄肉部である。別の一例では、脆弱部６４，１６４，２６３はミシン目である。
【００８８】
・雄型５１Ａおよび雌型５２Ａの嵌合形態は任意に変更可能である。一例では、ファスナー４０から易開封部４２が省略され、雄型５１Ａおよび雌型５２Ａの全体が一般部４１により構成される。
【００８９】
・袋本体１０の突出部１４の形成位置は任意に変更可能である。一例では、第３の辺２３から側部の外方に突出するように突出部１４が形成される。
・変形例のパウチ１によれば、袋本体１０から突出部１４が省略される。
【００９０】
・第２の開口部１６の形成位置は第１の開口部１５と対向しない範囲において任意の変更可能である。一例では、第２の開口部１６が袋本体１０の第３の辺２３に形成される。別の一例では、第１の開口部１５および第２の開口部１６が袋本体１０の同一の辺に形成される。その一例は第１の辺２１、第２の辺２２、または、第３の辺２３である。なお、第１の開口部１５と対向しない第２の開口部１６の形成位置は、内容物１１０が第２の開口部１６から収容空間３１に投入される場合に第２の開口部１６を通過した内容物１１０が閉鎖シート６０の脆弱部６４に強く接触しない位置と記述できる。
【００９１】
・袋本体１０の構造は任意に変更可能である。一例では、１枚の袋シートが折り曲げられることにより第１の袋シート１１および第２の袋シート１２が形成され、それらの縁が互いにシールされることにより袋本体１０が形成される。
【００９２】
・パウチ１の形態は任意に変更可能である。一例では、パウチ１はスタンディングパウチに代えて平パウチの形態を有する。この変形例によれば、袋本体１０からガゼットシート１３が省略される。
【００９３】
・パウチ１の用途は任意に変更可能である。一例では、加熱を必要としない食品、または、食品以外の内容物を収容するためにパウチ１が用いられる。
（課題を解決するための手段に関する付記）
〔付記〕前記ファスナーは、前記雄型が形成される雄型シート、および、前記雌型が形成される雌型シートをさらに含み、前記閉鎖シートは、前記雄型シートおよび前記雌型シートの一方から前記収容空間側に伸びるように形成され、前記雄型シートおよび前記雌型シートの他方が取り付けられる前記袋本体の内面にシールされ、前記脆弱部は前記閉鎖シートのうちの前記雄型シートおよび前記雌型シートの一方と前記シール部との間の部分に形成される、請求項１〜５のいずれか一項に記載のパウチ。
【符号の説明】
【００９４】
１                    ：パウチ
１０                  ：袋本体
１４                  ：突出部
１５                  ：第１の開口部
１６                  ：第２の開口部
２１                  ：第１の辺
２２                  ：第２の辺
３１                  ：収容空間
４０                  ：ファスナー
５１                  ：雄型シート
５１Ａ                ：雄型
５２                  ：雌型シート
５２Ａ                ：雌型
６０，１６０，２６０  ：閉鎖シート
６１，１６１          ：第１の閉鎖シート
６１Ａ，６２Ａ        ：対向面
６２，１６２          ：第２の閉鎖シート
６３                  ：シール部
６４，１６４，２６３  ：脆弱部
７０，１７０          ：シート
１００                ：内容物封入パウチ
１１０                ：内容物
１６３                ：折曲部分
【図１】
2017013886.tif 000003
【図２】
2017013886.tif 000004
【図３】
2017013886.tif 000005
【図４】
2017013886.tif 000006
【図５】
2017013886.tif 000007
【図６】
2017013886.tif 000008
【図７】
2017013886.tif 000009
【図８】
2017013886.tif 000010